(57)【要約】      （修正有）【課題】薄く、柔らかく、マスクに挿入するには、困難な不織布製フィルターを、容易に且つスムーズにマスク本体に挿入させるための挿入具を提供する。【解決手段】二つ折りのコシのあるシートに、不織布製フィルターを配して、マスクの裏面のポケット部に挿入するための  マスク用フィルターの挿入具を用いる事で、薄く、柔らかく、マスクに挿入するには、困難な不織布製フィルターを、容易に且つスムーズにマスク本体に挿入することが可能になる。マスク用フィルター挿入具１は、二つ折りにした四辺の一辺または、複数辺に半円状の切り欠き３が施されていて、また四隅の角に丸みを形成させたことで、マスクにフィルター２を挿入させる時により容易にする事ができる。【選択図】図１
0003157552.tif 000002
【実用新案登録請求の範囲】
【請求項１】
左右対称の形状のコシのあるシートが、二つ折りにされていて、その二つ折りにした時の形状及び寸法が、マスクのポケット部の略方形の形状及び寸法と略同一であり、二つ折りにした四辺の一辺または、複数辺に半円状の切り欠きが施されていることを特徴とするこのシートの二つ折り部にマスク用フィルターを配して、フィルターをマスクへ挿入をするためのマスク用フィルターの挿入具。
【請求項２】
上記マスク用フィルターの挿入具の四隅の角に丸みを形成させたことを特徴とする請求項１記載のマスク用フィルターの挿入具。
【考案の詳細な説明】
【技術分野】
【０００１】
本考案はマスクにフィルターを容易に挿入させる挿入具に関する。  
【背景技術】
【０００２】
インフルエンザ対策・風邪対策や花粉症対策にマスクの需要が近年増えてきている。マスクの性能・機能も立体化や、不織布技術の向上でよくなってきている。厚生労働省も「新型インフルエンザ対策には、不織布製マスクがいい」と推奨している。しかし、不織布製マスクは使い捨てが主流で、不織布製マスクで繰り返し使えるマスクは見当たらない。一方  繰り返し使える従来のガーゼマスクや布マスクは不織布製マスクとの性能の分野で劣る。
【０００３】
「ものを大切に使おう！」や、「もったいない」の思いから、環境問題も含めて、使い捨てが見直されてきている。そんな背景で、使い捨てでなく、繰り返し使えるマスクで、不織布製マスクの機能を備える事が要求されてきていた。
そのためには、マスク本体は洗濯し繰り返し使えて且つ、不織布製マスクの有する機能を備えなければならない。
【０００４】
そのために不織布製フィルターをマスクに挿入する事が考案されてきた。  しかし、不織布製フィルターは薄く、柔らかいため従来のマスクに挿入するには困難があった。
【０００５】
特許文献1にマスクにフィルターを入れる方式が提案されている。マスクのポケットに、薄く、柔らかいフィルターを入れるのは困難であった。この問題を解決するためマスクのポケットにフィルターを入れるための挿入具を提案していたが、この方式では挿入具の使い易さの上で不十分であった。
【先行技術文献】
【特許文献】
【０００６】
【特許文献１】特開２００５−９５２２７号公報
【考案の概要】
【考案が解決しようとする課題】
【０００７】
本考案は上記従来の課題を解決するものである。薄く、柔らかく、マスクに挿入するには、困難な不織布製フィルターを、容易に且つスムーズにマスク本体に挿入させるためのものである。
【課題を解決するための手段】
【０００８】
請求項１記載のマスク用フィルターの挿入具は左右対称の形状のコシのあるシートが、二つ折りにされていて、その二つ折りにした時の形状及び寸法が、マスクのポケット部の略方形の形状及び寸法と略同一であり、二つ折りにした四辺の一辺または、複数辺に半円状の切り欠きが施されていることを特徴とする、このシートの二つ折り部にマスク用フィルターを配して、フィルターをマスクへ挿入をするためのマスク用フィルターの挿入具。
【０００９】
請求項２記載のマスク用フィルターの挿入具は四隅の角に丸みを形成させたことを特徴とする請求項１記載のマスク用フィルターの挿入具である。
【００１０】
本考案でいう、コシのあるシートとしては、紙でもプラスチックでもよい。マスク用フィルターの挿入具は二つ折りにした形状で、ポケット部にほぼ同じ大きさが良く、切り欠きでフィルターを摘みポケットの中にフィルターを残しながら挿入具を引き抜くときに用いるものである。
【考案の効果】
【００１１】
マスク用フィルターの挿入具の二つ折りにした時の形状及び寸法が、マスクのポケット部の略方形の形状及び寸法と略同一であるので、ポケット部に配するフィルターもポケット部と略同一の大きさとすることができて、マスクの効能を確保することができる。また、二つ折りにした四辺の一辺または、複数辺に半円状の切り欠きが施されているので、このシートの二つ折り部にマスク用フィルターを配して、この切り欠きを摘んで、挿入具を引き抜けば、マスクのポケット部にフィルターを、容易に且つスムーズにマスク本体に残すことが可能になる。さらに、マスク用フィルターの挿入具の四隅の角に丸みを形成させたことで、マスクのポケットへの挿入が非常に楽になる。
【００１２】
本考案のマスク用フィルターの挿入具を用いれば、ウイルスや細菌、花粉を防ぐ使い捨てのフィルターを容易にマスクに装着することが可能になった。このことで、マスクは何度も洗濯し常に清潔さを保ち、使い捨てでないため環境にも配慮され且つ、フイルターのみを交換することで、いつでも高機能のマスクとしての役割を果たす事が出来る。
【図面の簡単な説明】
【００１３】
【図１】この考案に係わる挿入具にフィルターを配した実施例の斜視図
【図２】この考案に係わる挿入具の二つに折りたたむ前の平面図
【図３】この考案に係わる挿入具の正面図
【図４】この考案に係わる挿入具の平面図
【図５】フィルターの平面図
【図６】マスクの裏面
【図７】マスクの裏面のポケットの口にフィルターを配した挿入具を入れた図
【図８】マスクの裏面のポケットにフィルターを挿入し、挿入具を引き出した後の図
【図９】マスクの裏面で、中央部以外、左右脇部にポケットを有したマスクの裏面
【図１０】図９のマスクの裏面のポケットの口に、フィルターを配した挿入具をいれた図
【図１１】図９のマスクの裏面のポケットにフィルターが挿入された後の図
【図１２】一般ガーゼマスクの構造
【図１３】一般ガーゼマスクにフィルターを配した挿入具を入れた図
【図１４】一般ガーゼマスクにフィルターを挿入された後の図
【考案を実施するための形態】
【００１４】
本考案の実施の形態については図面を参照して説明する。
【実施例１】
【００１５】
以下、図面を参照して本考案の実施の一例を説明する。図１は本考案に係わる挿入具１でフィルター２を配した状態の斜視図である。挿入具１の元の形は図２のように左右対称の形状で、フィルター２を配しマスクに挿入する為、硬さあるシートである必要があり、シート材料としては、透明のプラスチックなどが良いが、本実施例では特厚口上質紙のコーティングされた紙を用いた。挿入具１の大きさは、図２の左右対称の形状で、長辺ヨコが２４ｃｍ、タテが７．２ｃｍである。  
【００１６】
この左右対称で、コシのあるシートを二つ折りにした状態が図3で、挿入具１の正面図であり、図4は挿入具１の平面図で、二つ折りにした寸法はヨコ12ｃｍ、タテ７．２ｃｍでマスクの裏面のポケット４に納まる大きさである。
四隅の角には丸みを形成させてあり、両長辺及び、一方の短辺に半径１ｃｍの半円状の切り欠き３が施されてあり、この切り欠き３が、フィルター２を摘み易くする窪みである。
図6はフィルター２を挿入することできるマスクの裏面であり、ポケット部４がマスクの裏面にあり、この部分でフィルター２を保持し、ポケットの口5，6は挿入具１が出し入れできる部分である。フィルター２はヨコ11.5ｃｍ、タテ７ｃｍで挿入具に納まり、フィルター２が挿入具１より大きすぎると、フィルターがはみ出し、マスクへの挿入時にスムーズさに欠け、また小さいとマスクの効果が落ちる。マスク裏面のポケット部４の大きさは、ポケット口５からポケット口６の長さのヨコが1１ｃｍで、マスクの上下であるタテが７．５ｃｍである。
【００１７】
次に本考案の挿入具を実際にマスクに利用する仕方を説明する。
フィルター２をマスク裏面に挿入する方法が図7で示してあり、マスクの裏面のポケットの口5,6の2箇所の内の1箇所、図７ではポケットの口5から、フィルター２を配した挿入具1を入れ、ポケット中央部４の下をくぐらし、もう一方のポケットの口6から出し、次にポケットの口６から出たフィルターを配した挿入具1の先端の切り欠きのフィルター２の端を摘み、フィルター２をポケット４の中に残しながら、挿入具１のみをポケットの口5から引き出す。すると図８のようにフィルター２はマスクの中央に納まり、フィルター２全体が平たくマスク内部に挿入される。
【００１８】
挿入具１を前記のように、マスクの裏面のポケットの口5,6の2箇所を通過させるわけであるが、挿入具１の四隅の角を丸みを形成させることで、挿入具１の通過をよりスムーズに行うことができる。
【００１９】
本実施例の挿入具１は、女性向けの普通サイズであり、男性用のマスクの挿入具のサイズはより大きいサイズとなる。  
【００２０】
挿入具１の素材はコシのあるシートがよく、本実施例では、特厚口上質紙のコーティングの紙を用いたが、透明か半透明のプラスチックでも良い。
【実施例２】
【００２１】
実施例１は  マスク裏面がポケット１箇所のみのタイプであるが、ポケット部を複数もつ図９のタイプにも適用できる。
図9はフィルター２を挿入することできるマスクの裏面であり、図９のようにポケット中央部４、ポケットの脇部７、８の３部分のポケットから成り、この３部分でフィルターを保持する。ポケットの口５，６は挿入具１が出し入れできる部分である。
図１０はフィルターをマスクに挿入しようとしている図で、図１１はフィルター２が挿入された後の図である。
【実施例３】
【００２２】
実施例１，２がマスクの裏面のポケットが左右に開いているタイプであるが、ポケットがマスクの上下にあるタイプでもこの挿入具が使える。
一般に売られているガーゼマスクがこのタイプである。  図１２はガーゼマスクの構造図であり、９，１０はガーゼマスクのポケットの口である。マスク上下のポケット部４の大きさは、ポケット口９からポケット口10の長さのタテが1１ｃｍで、マスクの左右であるヨコが１３ｃｍである。
【００２３】
図１３は  フィルターをマスクに装着しようとしている図で、図１４はフィルター２が挿入された後の図である。
【産業上の利用可能性】
【００２４】
実施例１、２，３に示したように、マスクにポケットの構造があれば、容易にフィルターを装着する事ができ、フィルターの効果で、ウイルス、細菌や、花粉を防ぎ、従来の布マスクや、ガーゼマスクより機能性に優れている。
またマスク全体が使い捨てになっている構造のマスクに比べ、フィルターのみ交換して、マスク本体は洗濯し何度も繰り返し使えるため、環境問題にも配慮されていて、且つ経済的である。
【符号の説明】
【００２５】
１  挿入具
２  フィルタ−
３  挿入具の複数辺の切り欠き
４  マスクの裏面のポケット中央部
５  マスクの裏面のポケットの口の一方
６  マスクの裏面のポケットの口の他方
７  マスクの裏面のポケットの脇部
８  マスクの裏面のポケットの脇部
９  一般ガーゼマスクのポケットの口の一方
10  一般ガーゼマスクのポケットの口の他方
【図１】
0003157552.tif 000003
【図２】
0003157552.tif 000004
【図３】
0003157552.tif 000005
【図４】
0003157552.tif 000006
【図５】
0003157552.tif 000007
【図６】
0003157552.tif 000008
【図７】
0003157552.tif 000009
【図８】
0003157552.tif 000010
【図９】
0003157552.tif 000011
【図１０】
0003157552.tif 000012
【図１１】
0003157552.tif 000013
【図１２】
0003157552.tif 000014
【図１３】
0003157552.tif 000015
【図１４】
0003157552.tif 000016
【手続補正書】
【提出日】平成21年12月4日(2009.12.4)
【手続補正１】
【補正対象書類名】実用新案登録請求の範囲
【補正対象項目名】請求項１
【補正方法】変更
【補正の内容】
【請求項１】
フィルターをマスクへ挿入をするためのマスク用フィルターの挿入具であって、この挿入具は、左右対称の形状のコシのあるシートが、二つ折りにされていて、その二つ折りにした時の形状及び寸法が、マスクのポケット部の略方形と形状及び寸法と略同一であり、二つ折りにした四辺の一辺または、複数辺に半円状の切り欠きが施されていて、マスクのポケット部に挿入し、上記切り欠き部を指で押さえて引き出した時、フィルターをポケット部に残存させることができるようになされていることを特徴とするマスク用フィルターの挿入具。